(57)【要約】【課題】より少ない手順で電源電圧検知手段の調整値を設定できる炊飯器を提供すること。【解決手段】制御手段１９は、電源電圧検知手段１４の出力を入力し、調整信号出力手段１７から第１の信号を入力したときに、電源電圧検知手段１４の出力が、第１の基準値に対して、第１の範囲の中にある場合は、第１の基準値との差異を第１の調整値と設定し、第１の調整値により、電源電圧検知手段１４の出力を補正し、インバータを制御することで、より少ない手順で電源電圧検知手段の調整値を設定できる炊飯器を実現する。【選択図】図１
2013233200.tif 000002
【特許請求の範囲】
【請求項１】
米、水などの調理物を入れる鍋を誘導加熱する加熱コイルと、この加熱コイルに高周波電流を供給するインバータ回路と、このインバータ回路を制御するインバータ制御回路と、前記商用電源から供給される電源電圧を検知する電源電圧検知手段と、前記電源電圧検知手段の検知レベルを調整する電源電圧調整手段と、前記インバータ制御回路を制御する制御手段と調整値を記憶する不揮発性記憶手段と、前記制御手段に前記電源電圧調整手段での調整を指示する調整信号を出力する調整信号出力手段とを備え、前記制御手段は、前記調整信号出力手段から第１の信号を入力したときに、前記電源電圧検知手段の出力が、基準となる第１の所定の値に対して、第１の所定の範囲内であれば、その値を元に第１の調整値を設定して前記不揮発性記憶手段に記憶し、それ以降は前記不揮発性記憶手段に記憶した第１の調整値を呼び出して前記電源電圧検知手段の出力を補正し、補正された値に基づいて前記インバータ制御回路を制御するよう構成した炊飯器。
【請求項２】
前記制御手段は、前記調整信号出力手段から第２の信号を入力したときに、前記電源電圧検知手段の出力が、基準となる第２の所定の値に対して、第２の所定の範囲内であれば、その値を元に第２の調整値を設定して、前記不揮発性記憶手段に記憶し、前記第１の調整値と前記第２の調整値をもとに前記電源電圧検知手段の出力を補正し、補正された値に応じて前記インバータ制御回路を制御するよう構成した請求項１に記載の炊飯器。
【請求項３】
前記制御手段は、前記調整信号出力手段から、第３の調整信号を入力したときに、前記電源電圧調整手段での調整値を０にするようにした請求項１または請求項２に記載の炊飯器。
【発明の詳細な説明】
【技術分野】
【０００１】
本発明は、インバータ回路から加熱コイルに高周波電流を供給して鍋を誘導加熱する一般家庭向けの炊飯器に関するものである。
【背景技術】
【０００２】
従来、この種の炊飯器としては、炊飯器本体に組み込み後の電力検査にて所定の電力が出ていない場合でも、炊飯器本体に組み込んだ状態で容易に再度電力調整ができるようにしている。図７は特許文献１に記載された従来の炊飯器のブロック図である。電源電圧検知手段と電源電流検知手段の出力を入力し電源電圧と電源電流の値を電源電圧電流表示手段に出力して表示するよう制御し、電源電圧電流調整手段で調整が完Ｆ了したことを出力する調整完了信号出力手段の信号を入力したときに、電源電圧と電源電流の各々の調整値を不揮発性記憶手段に記憶し、この不揮発性記憶手段に記憶した調整値を呼び出して前記インバータ制御回路を制御する制御手段を有している（例えば、特許文献１参照）。
【先行技術文献】
【特許文献】
【０００３】
【特許文献１】特開２００５−１３０９９１号公報
【発明の概要】
【発明が解決しようとする課題】
【０００４】
しかしながら、前記従来の構成では、電源電圧検知手段と電源電流検知手段の出力を調整した上で、調整完了信号出力手段の信号を出力する必要があり、調整用の信号を入力した場合でも、調整をする操作と、調整が完了したことを指示する操作が必要であるという課題を有していた。
【０００５】
本発明は、前記従来の課題を解決するもので、より少ない手順で調整値を設定できる炊飯器を提供することを目的としている。
【課題を解決するための手段】
【０００６】
前記従来の課題を解決するために、本発明の炊飯器は、調整信号出力手段から第１の信号を入力したときに、電源電圧検知手段の出力が、基準となる第１の所定の値に対して、第１の所定の範囲内であれば、その値を元に調整値を設定して不揮発性記憶手段に記憶し、それ以降は不揮発性記憶手段に記憶した調整値を呼び出して電源電圧検知手段の出力を補正し、補正された値に基づいてインバータ制御回路を制御するようにしたものである。
【０００７】
これによって、調整用の信号を入力した場合、調整信号出力手段の信号を入力するだけで、調整値を決定させるため、より少ない手順で調整値を設定できる炊飯器を提供することができるようになる。
【発明の効果】
【０００８】
本発明の炊飯器は、調整用の信号を入力した状態で、調整信号出力手段の信号を出力するだけで、調整値を決定させるため、より少ない手順で調整値を設定できる。
【図面の簡単な説明】
【０００９】
【図１】本発明の実施の形態１における炊飯器のブロック図
【図２】本発明の実施の形態１における炊飯器の動作を示すフローチャート
【図３】本発明の実施の形態２における炊飯器のブロック図
【図４】本発明の実施の形態２における炊飯器の動作を示すフローチャート
【図５】本発明の実施の形態３における炊飯器のブロック図
【図６】本発明の実施の形態３における炊飯器の動作を示すフローチャート
【図７】従来の炊飯器のブロック図
【発明を実施するための形態】
【００１０】
第１の発明は、米、水などの調理物を入れる鍋を誘導加熱する加熱コイルと、この加熱コイルに高周波電流を供給するインバータ回路と、このインバータ回路を制御するインバータ制御回路と、前記商用電源から供給される電源電圧を検知する電源電圧検知手段と、前記電源電圧検知手段の検知レベルを調整する電源電圧調整手段と、前記インバータ制御回路を制御する制御手段と、調整値を記憶する不揮発性記憶手段と、前記制御手段に前記電源電圧調整手段での調整を指示する調整信号を出力する調整信号出力手段とを備え、前記制御手段は、前記調整信号出力手段から第１の信号を入力したときに、前記電源電圧検知手段の出力が、基準となる第１の所定の値に対して、第１の所定の範囲内であれば、その値を元に第１の調整値を設定して前記不揮発性記憶手段に記憶し、それ以降は前記不揮発性記憶手段に記憶した第１の調整値を呼び出して前記電源電圧検知手段の出力を補正し、補正された値に基づいて前記インバータ制御回路を制御するように構成したものである。
【００１１】
これによって、基準となる電源電圧に相当する信号を入力した状態で、調整信号出力手段から第１の信号を入力するという、少ない手順で、調整することができる。また、基準となる電源電圧に相当する信号を入力していない状態で、調整信号出力手段から第１の信号を入力しても、前記電源電圧検知手段の出力が、基準となる第１の所定の値に対して、第１の所定の範囲内でないと判断し、第１の調整値を変更して記憶しないため、間違った値で調整することもない。
【００１２】
第２の発明は、特に、第１の発明の制御手段は、調整信号出力手段から第２の信号を入力したろきに、前記電源電圧検知手段の出力が、基準となる第２の所定の値に対して、第２の所定の範囲内であれば、その値を元に第２の調整値を設定して、前記不揮発性記憶手段に記憶し、前記第１の調整値と前記第２の調整値をもとに前記電源電圧検知手段の出力を補正し、補正された値に応じて前記インバータ制御回路を制御するよう構成したものである。
【００１３】
これによって、第１の基準となる電源電圧に相当する信号を入力した状態で、調整信号出力手段から第１の信号を入力し、第２の基準となる電源電圧に相当する信号を入力した状態で、調整信号出力手段から第２の信号を入力することで、前記電源電圧検知手段の出力を補正する第１の補正値と第２の補正値を設定し、前設定した第１と第１の調整値を不揮発性記憶手段に記憶し、この不揮発性記憶手段に記憶した第１と第２の調整値を呼び出して前記インバータ制御回路を制御するので、基準となる電源電圧に相当する信号を入力した状態で、信号出力手段から信号を入力するという、少ない手順で、調整することができる。また、基準となる電源電圧に相当する信号を入力していない状態で、信号出力手段から信号を入力しても、前記電源電圧検知手段の出力が、所定の範囲内でないと判断し、調整値を変更して記憶しないため、間違った値で調整することもない。
【００１４】
第３の発明は、得に、第１または第２の発明において、制御手段は、前記調整信号出力手段から、第３の調整信号を入力したときに、前記電源電圧調整手段での調整値を０にするようにしたものである。
【００１５】
これによって、前記信号出力手段から、第３の調整信号を入力するだけで、調整値が０となるため、容易に調整をやり直すことができる。
【００１６】
以下、本発明の実施の形態について、図面を参照しながら説明する。なお、この実施の形態によって本発明が限定されるものではない。
【００１７】
（実施の形態１）
図１は、本発明の第１の実施の形態における炊飯器のブロック図を示すものであり、図２は、本発明の第１の実施の形態における炊飯器の動作を示すフローチャートを示すものである。
【００１８】
図１に示すように、加熱コイル１０は、米、水などの調理物を入れる鍋（図示せず）を誘導加熱するもので、インバータ回路１１より加熱コイル１０に高周波電流を供給する。
【００１９】
インバータ回路１１はインバータ制御回路１２により制御するようにしている。電源電圧検知手段１４は商用電源から供給される電源電圧を検知するものであり、電源電圧調整手段９は電源電圧検知手段１４の検知レベルを調整するものである。
【００２０】
制御手段１９は、電源電圧検知手段１４の出力を入力し、調整信号出力手段１７から第１の信号を入力したときに、電源電圧検知手段１４の出力が、第１の基準値に対して、第１の範囲の中にある場合は、第１の基準値との差異を第１の調整値と設定し、第１の調整値を不揮発性記憶手段１８に記憶し、以降、第１の調整値により、電源電圧検知手段１４の出力を補正し、インバータを制御する。
【００２１】
上記構成において図２のフローチャートを参照しながら動作、作用を説明する。
【００２２】
ステップ２０でスタートし、まずステップ２１に進み、調整モードかどうかを判断する。調整モードに入れるのに特定の入力信号が制御手段１９に入力されれば調整モードとしてステップ２２に進み、それ以外の場合は、ステップ２８に進む。
【００２３】
ステップ２２では、基準となる電源電圧に相当する信号を入力した状態で、電源電圧検知手段１４により商用電源から供給される電源電圧を検知する。つぎに、ステップ２３に進む。ステップ２３では、作業者は調整信号出力手段１７から第１の信号を入力する。
【００２４】
つぎに、ステップ２４にすすむ。ステップ２４では、電源電圧検知手段１４により検知した、商用電源から供給される電源電圧が所定の範囲内であれば、ステップ２５に進み、所定の範囲内でなければ、ステップ２６に進む。
【００２５】
ステップ２６では、調整値が変更されていないことを報知して、ステップ２２へ戻る。ステップ２５では、電源電圧検知手段１４により検知した、商用電源から供給される電源電圧と基準値の差異を調整値として不揮発メモリに記憶して、ステップ２７に進み、調整モードを終了し、ステップ２１へ進む。
【００２６】
ステップ２８では、この調整値によって、電源電圧検知手段１４により検知した、商用電源から供給される電源電圧を補正して、インバータを制御する。
【００２７】
具体的には、例えば、第１の基準値が１０２で、第１の範囲を＋−１０とした場合、電源電圧検知手段１４の出力が１０５の場合、第１の基準値に対して、第１の範囲の中にあるため、基準値との差異−３を第１の調整値として設定し、不揮発メモリに記憶し、以降、電源電圧検知手段１４の出力を−３してインバータ制御回路を制御する。また、電源電圧検知手段１４の出力が１２０の場合、第１の基準値に対して、第１の範囲外であるため、調整値を変更せず、以前の調整値のままインバータ制御回路を制御する。
【００２８】
なお、本実施の形態では、第１の基準値が１０２で、第１の範囲を＋−１０としたが、この値に限定されるものではなく、第１の範囲は、プラス側、マイナス側で同じ幅である必要はなく、また、第１の基準値や第１の範囲は、炊飯器の最大炊飯量や仕様の違いに応じて変更するようにしてもよいことは明らかである。
【００２９】
また、本実施の形態では、第１の基準値や第１の範囲を電源電圧検知手段の出力値をＡＤ変換した値を想定して示しているが、例えば０．１Ｖ単位で電圧換算したものであってもよいことは明らかである。
【００３０】
また、本実施の形態では、作業者が第１の信号を入力するとなっているが、特定のキーを操作することで行うようにしてもよいし、検査用の機械が操作するようにしてもよいし、特定の通信や使用者が操作できない方法などで入力するようにしてもよいのは明らかである。
【００３１】
以上のように、本実施の形態においては、基準となる電源電圧に相当する信号を入力した状態で、信号出力手段から第１の信号を入力するという、少ない手順で、調整することができ、基準となる電源電圧に相当する信号を入力していない状態で、信号出力手段から第１の信号を入力しても、前記電源電圧検知手段の出力が、基準となる第１の所定の値に対して、第１の所定の範囲内でないと判断し、第１の調整値を変更して記憶しないため、間違った値で調整することもない。
【００３２】
（実施の形態２）
図３は、本発明の第２の実施の形態における炊飯器のブロック図を示すものであり、図４は、本発明の実施の形態２における炊飯器の動作を示すフローチャートを示すものである。
【００３３】
図３に示すように、加熱コイル３０は、米、水などの調理物を入れる鍋（図示せず）を誘導加熱するもので、インバータ回路３１より加熱コイル３０に高周波電流を供給する。インバータ回路３１はインバータ制御回路３２により制御するようにしている。電源電圧検知手段３４は商用電源から供給される電源電圧を検知するものであり、制御手段３９は、電源電圧検知手段３４の出力を入力し、調整信号出力手段３７から第１の信号を入力したときに、電源電圧検知手段３４の出力が、第１の基準値に対して、第１の範囲の中にある場合は、第１の基準値との差異を第１の調整値と設定し、調整信号出力手段３７から第２の信号を入力したときに、電源電圧検知手段３４の出力が、第２の基準値に対して、第２の範囲の中にある場合は、第２の基準値との差異を第２の調整値と設定し、するようにし、制御手段３９は、第１の調整値と第２の調整値から、電源電圧検知手段３４の出力を補正し、インバータを制御する。
【００３４】
上記構成において、図４のフローチャートを参照しながら動作、作用を説明する。ステップ４０でスタートし、まずステップ４１に進み、調整モードかどうかを判断する。調整モードに入れるのに特定の入力信号が制御手段３９に入力されれば調整モードとしてステップ４２に進み、入力されていない場合は、ステップ８３に進む。ステップ４２では、基準となる第１の電源電圧に相当する信号を入力した状態で、電源電圧検知手段３４により商用電源から供給される電源電圧を検知する。
【００３５】
つぎに、ステップ４３に進む。ステップ４３では、作業者は第１の信号を入力を入力する。つぎに、ステップ４４にすすむ。ステップ４４では、電源電圧検知手段３４により検知した、商用電源から供給される電源電圧が所定の範囲内であれば、ステップ４５に進み、所定の範囲内でなければ、ステップ４６に進む。ステップ４６では、調整値が変更されていないことを報知して、ステップ４２へ戻る。
【００３６】
ステップ４５では、電源電圧検知手段３４により検知した、商用電源から供給される電源電圧と基準値の差異を第１の調整値として設定し、不揮発メモリに記憶し、ステップ４７へ進む。ステップ４７では、基準となる第２の電源電圧に相当する信号を入力した状態で、電源電圧検知手段３４により商用電源から供給される電源電圧を検知する。
【００３７】
つぎに、ステップ４８に進む。ステップ４８では、作業者は第２の信号を入力を入力する。つぎに、ステップ４９にすすむ。ステップ４９では、電源電圧検知手段３４により検知した、商用電源から供給される電源電圧が所定の範囲内であれば、ステップ５０に進み、所定の範囲内でなければ、ステップ５１に進む。ステップ５１では、調整値が変更されていないことを報知して、ステップ４７へ戻る。ステップ５０では、電源電圧検知手段３４により検知した、商用電源から供給される電源電圧と基準値の差異を第２の調整値として設定し、不揮発メモリに記憶し、ステップ５２に進み、調整モードを終了して、ステップ４０へ進む。ステップ８３では、この２つの調整値によって、電源電圧検知手段３４により検知した、商用電源から供給される電源電圧を補正して、インバータを制御する。
【００３８】
具体的には、例えば、第１の基準値が１０１で、第１の範囲を＋−１０とした場合、ステップ４２での電源電圧検知手段１４の出力が１０６の場合、第１の基準値に対して、第１の範囲の中にあるため、基準値との差異−５を第１の調整値として設定し、第２の基準値が１１０で、第２の範囲を＋５から−８とした場合、ステップ４７での電源電圧検知手段１４の出力が１０９の場合、第２の基準値に対して、第２の範囲の中にあるため、基準値との差異＋１を第２の調整値として設定し、不揮発メモリに記憶し、以降、電源電圧検知手段１４の出力を１０５以上の場合は＋１、１０５未満の場合は−５してインバータ制御回路を制御する。
【００３９】
なお、本実施の形態では、第１および第２の基準値や、第１および第２の範囲を特定の値としたが、この値に限定されるものではなく、第１および第２の範囲は、プラス側、マイナス側で同じ幅である必要はなく、また、第１および第２の基準値や第１および第２の範囲は、炊飯器の最大炊飯量や仕様の違いに応じて変更するようにしてもよいことは明らかである。
【００４０】
また、補正の方法も第１の基準値と第２の基準値の中間で、第１の補正値と第２の補正値を切り替えるようにしているが、中間である必要もなく、２段階に限定する必要はなく、より多くの段階で、ゆるやかに調整値を変更するようにしてもよいし、特性に応じて調整値を変化させてもよいことは明らかである。
【００４１】
また、本実施の形態では、第１の信号と第２の信号を別のものとし、第１の調整値を決定してから第２の調整値を順に調整するようにしているが、基準値が異なっていれば、基準値に従って信号が入力されていればよいため、順序は問題なく、同じ信号であっても問題ないことは、明らかである。
【００４２】
なお、本実施の形態では、基準値を２種類としているが、より多くの基準値を設けるようにしてもよいし、全ての調整値が設定されるまで設定された調整値に基づいて調整しないようにしてもよいし、全ての調整値が設定されていなくても、すでに設定された調整値に基づいて調整するようにしてもよいのは、明らかである。
【００４３】
以上のように、本実施の形態においては、基準となる電源電圧に相当する信号を入力した状態で、信号出力手段から第１および第２の信号を入力するという、少ない手順で、調整することができ、基準となる電源電圧に相当する信号を入力していない状態で、信号出力手段から第１および第２の信号を入力しても、前記電源電圧検知手段の出力が、基準となる所定の値に対して、所定の範囲内でないと判断し、調整値を変更して記憶しないため、間違った値で調整することもなく、複数の補正値により、より正確に補正することができる。
【００４４】
（実施の形態３）
図５は、本発明の第３の実施の形態における炊飯器のブロック図を示すものであり、図６は、本発明の第３の実施の形態における炊飯器の動作を示すフローチャートを示すものである。
【００４５】
図５に示すように、加熱コイル５０は、米、水などの調理物を入れる鍋（図示せず）を誘導加熱するもので、インバータ回路５１より加熱コイル５０に高周波電流を供給する。インバータ回路５１はインバータ制御回路５２により制御するようにしている。電源電圧検知手段５４は商用電源から供給される電源電圧を検知するものであり、制御手段５９は、電源電圧検知手段５４の出力を入力し、調整信号出力手段５７から第１の信号を入力したときに、電源電圧検知手段５４の出力が、第１の基準値に対して、第１の範囲の中にある場合は、第１の基準値との差異を第１の調整値と設定し、第１の調整値により、電源電圧検知手段５４の出力を補正し、インバータを制御するとともに、調整信号出力手段５７から第３の信号を入力したときに、第１の調整値を０として、電源電圧検知手段５４の出力を補正し、インバータを制御する。
【００４６】
上記構成において、図６のフローチャートを参照しながら動作、作用を説明する。
【００４７】
ステップ６０でスタートし、まずステップ６１に進み、調整モードかどうかを判断する。調整モードに入れるのに特定の入力信号が制御手段５９に入力されれば調整モードとしてステップ６２に進み、そうでなければステップ７０へ進む。ステップ６２では、基準となる電源電圧に相当する信号を入力した状態で、電源電圧検知手段５４により商用電源から供給される電源電圧を検知する。
【００４８】
つぎに、ステップ６３に進む。ステップ６３では、作業者が第３の信号を入力を入力すると、ステップ６４に進み、そうでなければステップ６５に進む。ステップ６４では、調整値を０として設定し、不揮発メモリに記憶し、ステップ６２へ戻る。以後、さらに調整値を変更しなければ、この調整値によって、電源電圧検知手段５４により検知した、商用電源から供給される電源電圧を補正して、インバータを制御する。
【００４９】
ステップ６５では、作業者が第１の信号を入力するとステップ６６へ進む。ステップ６６では、電源電圧検知手段５４により検知した商用電源から供給される電源電圧が所定の範囲内であれば、ステップ６７に進み、所定の範囲内でなければ、ステップ６８に進む。ステップ６８では、調整値が変更されていないことを報知して、ステップ６２へ戻る。ステップ６７では、電源電圧検知手段５４により検知した商用電源から供給される電源電圧と基準値の差異を調整値として設定し、不揮発メモリに記憶し、ステップ６９に進み、調整モードを終了し、ステップ６１へ進む。
【００５０】
ステップ７０では、この調整値によって、電源電圧検知手段５４により検知した、商用電源から供給される電源電圧を補正して、インバータを制御する。
【００５１】
また、本実施の形態では、作業者が第３の信号を入力するとなっているが、特定のキーを操作することで行うようにしてもよいし、検査用の機械が操作するようにしてもよいし、特定の通信や使用者が操作できない方法などで入力するようにしてもよいし、作業者が第１の信号を入力するかわりに第３の信号を入力するようにしているが、第３の信号の入力による動作は、第１の信号を入力するタイミングと異なる専用のモードや状態に限定してもよいのは明らかである。
【００５２】
以上のように、本実施の形態においては、基準となる電源電圧に相当する信号を入力した状態で、信号出力手段から第１の信号を入力するという、少ない手順で、調整することができるとともに、第３の信号を入力することで、調整値を０とすることができるので、誤って調整をしてしまった場合でも、再度調整をすることが容易である。
【産業上の利用可能性】
【００５３】
以上のように、本発明にかかる炊飯器は、容易に電力調整をすることができるので、インバータ回路より加熱コイルに高周波電流を供給して鍋を誘導加熱する炊飯器として有用である。
【符号の説明】
【００５４】
９、３３、５３  電源電流調整手段
１０、３０、５０  加熱コイル
１１、３１、５１  インバータ回路
１２、３２、５２  インバータ制御回路
１４、３４、５４  電源電圧検知手段
１７、３７、５７  調整信号出力手段
１８、３８、５８  不揮発性記憶手段
１９、３９、５９  制御手段
【図１】
2013233200.tif 000003
【図２】
2013233200.tif 000004
【図３】
2013233200.tif 000005
【図４】
2013233200.tif 000006
【図５】
2013233200.tif 000007
【図６】
2013233200.tif 000008
【図７】
2013233200.tif 000009